(57)【特許請求の範囲】
【請求項１】
内部に採取汚染土を充填することの可能なコンテナーと、該コンテナー内底部よりエアを吸引するブロワーと、吸引したエアを通過させて清浄化するエア浄化器と、エア浄化器を通過したエアを前記コンテナー内上部に還元循環させるエアパイプとからなる汚染土の強制浄化装置。
【請求項２】
内部に採取汚染土を充填・密封することの可能なコンテナーと、該コンテナー内底部よりエアを吸引するブロワーと、吸引したエアを通過させて清浄化するエア浄化器と、エア浄化器を通過したエアを前記コンテナー内上部に還元・加圧循環させるエアパイプとからなる汚染土の強制浄化装置。
【請求項３】
コンテナー内底部より吸引したエアのブロワーへの経路間に、気液分離器を介在させてなるところの、請求項１又は請求項２に記載の汚染土の強制浄化装置。
【請求項４】
内部に採取汚染土を充填することの可能なコンテナーは、ポリエチレンあるいはポリプロピレン等の柔軟材によりフレキシブルに構成されているものであるところの、請求項１〜３に記載の汚染土の強制浄化装置。
【請求項５】
内部に採取汚染土を充填することの可能なコンテナーは、内底部に通気性マットが敷設されているところの、請求項１〜４に記載の汚染土の強制浄化装置。
【請求項６】
吸引したエアを通過させて清浄化するエア浄化器は、内部エア通過部に活性炭を充填したものであるところの請求項１〜５に記載の汚染土の強制浄化装置。
【発明の詳細な説明】
【０００１】
【産業上の利用分野】
本発明は、揮発性有機塩素化合物等により汚染した土壌を強制的に浄化する装置に関し、土壌浄化の完全かつ迅速化をはかることにより効率性をよくするとともに、コンパクトで設置スペースが少なくてよく、しかも運搬等に際しての取り扱い性に優れた汚染土の強制浄化装置を提供することを目的とする。
【０００２】
【従来の技術】
近時とくに各種化学薬品類を使用する工場敷地や、その周辺部においてはトリクロロエチレンやテトラクロロエチレン、あるいはジクロロメタン等をはじめとした各種の揮発性有機塩素化合物による土壌汚染の問題が深刻化している。  これは、その多くが地表面あるいはその近くから地下土壌中に浸透し、土壌表層部においては大気との接触により揮発しやすいが、多くは土壌間隙中に滞留し、また粘性が低く水よりも比重の重い揮発性有機塩素化合物は透水性の高い地層中を浸透して地下水面に達し、さらに水面下の不透水層の直上に滞留して長期間にわたり地下水中に溶出して地下水を汚染させる。
【０００３】
そしてこれまでに知られている揮発性有機塩素化合物の除去法としては、汚染が発見され土壌浄化対策が求められる現場においてシートパイルを打設してバックホー等により土壌掘削することにより揮発性有機塩素化合物を含んだ土砂を採取し、これを場外に搬送するとともに、風力乾燥や加熱処理、あるいは石灰混れんによる中和処理などによって清浄化する掘削採取法が一般的に知られている。
またこれらの揮発性有機塩素化合物は移動性が高いために、土壌や地下水から分離又は分解して恒久的に除去することが可能であるところから、汚染土壌の掘削をおこなわずに現場地下水を大量に揚水し、これを曝気して揮発性有機塩素化合物を含む地中ガスを直接吸引し、浄化する原位置抽出法も知られている。
【０００４】
【発明が解決しようとする課題】
しかしながら掘削採取法にあっては、作業規模が大掛かりとなるのみならず、後処理としての風力乾燥法による場合においては、掘削した汚染土を盛り土して自然乾燥させるものであるために比較的広いスペースを必要とし、また掘削搬出した汚染土について、施主から早期撤去を迫られ、また搬送に際しては汚染土が所謂「特別管理産業廃棄物」と同等の取り扱いを要求されるところから、汚染土の収集・運搬・中間処理・最終処理に至るトータルコストが膨大となる。
【０００５】
また掘削採取した汚染土を高温あるいは低温加熱処理して揮発性有機塩素化合物を揮散させる方法にあっても、加熱のためのエネルギーコストが膨大で、しかも装置もきわめて大掛かりとなる等現実的ではない。  さらに汚染土中に生石灰を混れんして発熱や団粒効果によって揮発性有機塩素化合物を揮散させる場合においても汚染度が著しい場合や土質如何によってはあまり効果がみられないのみならず、揮散物質を回収する設備が別途必要となり、実際的ではない。  さらに原位置抽出法にあっても、土壌の浄化にきわめて長期間を要するのみならず、透水性の悪い箇所においては土壌中に浸透した汚染物質の完全除去が殆ど困難である等の問題がある。
【０００６】
【課題を解決するための手段】
そこで本発明にあっては、低コストでしかも短期間に、また省スペースにて、より完全かつ効率的な土壌浄化を可能にしたものであって、具体的には請求項１の発明は、内部に採取汚染土を充填することの可能なコンテナーと、該コンテナー内底部よりエアを吸引するブロワーと、吸引したエアを通過させて清浄化するエア浄化器と、エア浄化器を通過したエアを前記コンテナー内上部に還元循環させるエアパイプとからなる汚染土の強制浄化装置に関する。
【０００７】
また請求項２の発明は、内部に採取汚染土を充填・密封することの可能なコンテナーと、該コンテナー内底部よりエアを吸引するブロワーと、吸引したエアを通過させて清浄化するエア浄化器と、エア浄化器を通過したエアを前記コンテナー内上部に還元・加圧循環させるエアパイプとからなる汚染土の強制浄化装置に関する。
【０００８】
さらに請求項３の発明は、コンテナー内底部より吸引したエアのブロワーへの経路間に、気液分離器を介在させてなるところの、請求項１又は請求項２に記載の汚染土の強制浄化装置に関する。  さらに請求項４の発明は、内部に採取汚染土を充填することの可能なコンテナーは、ポリエチレンあるいはポリプロピレン等の柔軟材によりフレキシブルに構成されているものであるところの、請求項１〜３に記載の汚染土の強制浄化装置に関する。
【０００９】
さらに請求項５の発明は、内部に採取汚染土を充填することの可能なコンテナーは、内底部に通気性マットが敷設されているところの、請求項１〜４に記載の汚染土の強制浄化装置に関する。  さらに請求項６の発明は、吸引したエアを通過させて清浄化するエア浄化器は、内部エア通過部に活性炭を充填したものであるところの請求項１〜５に記載の汚染土の強制浄化装置に関する。
【００１０】
上記した請求項１に記載の構成において、採取した汚染土をコンテナー内に入れ、ブロワーを起動してコンテナー内底部よりエアを吸引するとともに、これを活性炭などを充填したエア浄化器内に導入・通過させてエアに含まれる汚染物質を吸着し、清浄化した温風エアをさらに前記コンテナー内上部に還元循環させ、内底部より吸引し続けることにより上記清浄化したエアを汚染土中を通過させつつ、汚染土中に含まれる揮発性有機塩素化合物を通過エアに順次吸収させる。
【００１１】
また請求項２に記載の構成においては、採取した汚染土をコンテナー内に入れて上部開口部を蜜に封止して内部を密封し、ブロワーを起動してコンテナー内底部よりエアを吸引するとともに、ブロワー通過に際して温風化され、さらにこれを活性炭などを充填したエア浄化器内に導入・通過させてエアに含まれる汚染物質を吸着し、清浄化した温風エアをさらに前記コンテナー内上部に加圧還元循環させ、内底部より吸引し続けることにより上記清浄化した加圧エアを汚染土中を通過させつつ、汚染土中に含まれる揮発性有機塩素化合物を通過エアに順次吸収させる。
【００１２】
さらに請求項３の構成においては、コンテナー内の汚染土中を通過して汚染物質、すなわち揮発性有機塩素化合物を吸着した後、内底部より吸引されたエアは、ブロワーへの経路間に介在された気液分離器を通過する際に、含有するミストを分離除去されてエア浄化器へと送られる。  さらに請求項４の構成においては、フレキシブルなコンテナーを折り畳んで現場に持ち込み、あるいは使用後において、水道水等により洗浄後コンパクトに折り畳んで持ち帰ることができる。
【００１３】
さらに請求項５の発明は、コンテナーの内底部に通気性マットが敷設されているために、該通気性マット上に汚染土を載置することができ、また汚染土を通過したエアを容易にコンテナー内底部に導くことができる。
【００１４】
【発明の実施の形態】
以下において本発明の具体的な内容を図１〜３の実施例をもとに説明すると、各図において１はコンテナー、１１は気液分離器、１３はブロワー、１５はエア浄化器をあらわす。  コンテナー１は円形又は方形等の有底で、しかも上方開口部を閉塞して内部密閉可能な構造であれば格別形状の如何は問わないが、保管・運搬性の便宜上からは、全体がフレキシブルで折り畳みが可能な構造のものが好ましい。
【００１５】
具体例を示すと、図２にもあらわしたように容量約８００リットル程度の円筒形をなすコンテナー１の底部２および、あるいは少なくとも側面部および上部開口部３はポリエチレンあるいはポリプロピレン等の柔軟材によりフレキシブルに構成され、開口部３の開口縁には開口部３を閉止して内部密閉する投入口テープ４が形成されている。  さらに開口縁には内部に通じる上部パイプ５が、また底部には内部に通じる下部パイプ７が取り付けられ、しかも内底部には通気性マット６が敷設され、これによってコンテナー１の内部に採取汚染土を充填・密封することが可能に構成されている。
【００１６】
なお図２中において、８は底部２の底面から左右の側面上方にかけて立上らせて取り付けた吊りベルト、９は吊り下げロープをあらわしている。  気液分離器１１は、それ自体既知の構造のものを使用することができ、前記したコンテナー１の下部パイプ７との間にパイプ１０にて接続され、後記するブロワー１３にて吸引した気体中に含まれる液体を分離除去するものである。
【００１７】
またブロワー１３は既知の構造のものでよく、気液分離器１１とエア浄化器１５との間に、それぞれパイプ１２および１４を介して接続され、前記したコンテナー１の内底部よりエアを吸引するとともに、吸引したエアをエア浄化器１５に送りこむことができる。  さらにエア浄化器１５は、中央部の内部エア通過部に活性炭１６が充填されており、該活性炭１６を挟んで下室１７および上室１８が形成され、しかも下室１７には前記ブロワー１３との間を接続するパイプ１４が、また上室１８にはコンテナー１の開口縁に形成された上部パイプ５との間に循環パイプ１９が接続され、これによってエア浄化器１５を通過したエアを前記密閉されたコンテナー１内上部に還元・加圧循環させることができるようになっている。
【００１８】
つまりコンテナー１内は密閉されており、図３に示したようにブロワー１３により下からエアが吸引されるばかりでなく、上からも循環エアによって加圧され、その結果内部の汚染土Ｅはパージ作用を受けることになり、揮発性有機塩素化合物の回収効率を、より一層高めることができる。  またコンテナー１内において循環エアが汚染土Ｅ内を上から下へと通過するために、汚染土Ｅに含まれる間隙水は速やかに土中から排除され、その結果汚染土の不飽和状況がますます高まり、土中の間隙率の増加、および透気係数の増加により揮発性有機塩素化合物の蒸発による回収率を、より一層高めることができる。
【００１９】
上記した構成において、コンテナー１の開口部３を開いて採取した汚染土Ｅを通気性マット６上に積載し、開口部を絞り込んで閉じるとともに開口縁の投入口テープ４により外側から堅く締め付けて内部を密閉する。  次いでブロワー１３を起動し、コンテナー１の底部に形成した下部パイプ７に接続されているパイプ１０および１２を介してコンテナー１内底部の気体を吸引する。  吸引された気体は途中気液分離器１１を通過する際に、含有ミストが分離除去されるとともに、これをパイプ１４を介してエア浄化器１５の下室１７内へ圧送される。
【００２０】
エア浄化器１５内に送りこまれた気体は下室１７から活性炭１６を通過し、汚染物質を回収浄化されて上室１８に達し、さらに清浄化された気体は循環パイプ１９を介して前記コンテナー１の上部空間Ｈ内に圧送還元され、再び汚染土Ｅ内を通過して汚染物質を吸引するとともに、底部の通気性マット６を通過して底部の下部パイプ７よりエア浄化器１５へと循環される。  このとき循環エアはブロワー１３を通過する際にブロワー１３の過熱により温められ、コンテナー１内の汚染土Ｅ内を通過する際において、揮発性有機塩素化合物の揮発分離作用をより一層促進させる。
【００２１】
【発明の効果】
以上詳記した通り、本願の発明は内部に採取汚染土を充填することの可能なコンテナーと、該コンテナー内底部よりエアを吸引するブロワーと、吸引したエアを通過させて清浄化するエア浄化器と、エア浄化器を通過したエアを前記コンテナー内上部に還元循環させるエアパイプとからなるものであるために、現場からの汚染土の早期撤去が可能となるのみならず作業規模が小さく、しかも短時間でかつ完全な揮発性有機塩素化合物の除去が可能である。
【００２２】
またコンテナーとエア浄化器との両者間にはブロワーによりエアを循環させることになるために、浄化されたエアは密閉されたコンテナー内の上部空間に加圧還元される結果、コンテナー内の汚染土中を強制通過させられ、揮発性有機塩素化合物との接触が促進されるので、汚染物質のきわめて効率的な除去が可能となる。  さらにコンテナー内底部より吸引したエアのブロワーへの経路間に、気液分離器を介在させる場合においては吸引エア中のミストを速やかに除去することができ、揮発性有機塩素化合物の除去効率をさらに向上させる。
【００２３】
さらにコンテナーが、ポリエチレンあるいはポリプロピレン等の柔軟材によりフレキシブルに構成されているものである場合においては、コンテナーの保管および運搬性に優れ、また内底部に通気性マットが敷設されている場合においてはコンテナー内への汚染土の充填が容易で、しかも底部からのエア吸引作用が促進される。  さらにエア浄化器内部のエア通過部に活性炭を充填したものである場合においては、とくに揮発性有機塩素化合物の除去性に優れる等、全体として作業規模が小規模で、汚染物質の略完全な除去が可能となり、また汚染土の収集・運搬・中間処理・最終処理に至るトータルコストを在来の浄化法に比して格段に低下させることができる。
【図面の簡単な説明】
【図１】本発明の一実施例である汚染土の強制浄化装置の概略をあらわした説明図。
【図２】本発明装置におけるコンテナーの一例をあらわしたフレキシブルコンテナーの拡大側面図。
【図３】本発明装置のコンテナー内における汚染土浄化の概略の仕組みをあらわした説明図。
【符号の説明】
１        コンテナー
２        底部
３        開口部
４        投入口テープ
５        上部パイプ
６        通気性マット
７        下部パイプ
８        吊りベルト
９        吊り下げロープ
１０      パイプ
１１      気液分離器
１２      パイプ
１３      ブロワー
１４      パイプ
１５      エア浄化器
１６      活性炭
１７      下室
１８      上室
１９      循環パイプ
Ｅ        汚染土
【図１】
0004221631.tif 000002
【図２】
0004221631.tif 000003
【図３】
0004221631.tif 000004